(57)【要約】【課題】太刀魚やメバルなどの夜行性魚種に対する誘引及び当りを效果的に誘導して釣果を向上させるようにする釣り針に関する。【解決手段】本発明に係る夜行性魚種の釣果向上のための釣り針は、釣糸が結ばれる針の耳と、前記針の耳から真っ直ぐに延長された直線部を持つ針腰と、前記針腰から針末のかかりまで曲がる曲線部を持つ針かかとからなる構成の釣り針の構造であって、前記針腰の直線部のまわり面に沿って接着及び硬化される夜光体が形成されることを技術的要旨にする。【選択図】図６
2018093771.tif 000002
【特許請求の範囲】
【請求項１】
釣糸が結ばれる針の耳と、前記針の耳から真っ直ぐに延長された直線部を持つ針腰と、前記針腰から針末のかかりまで曲がる曲線部を持つ針かかとからなる構成の釣り針の構造であって、
前記針腰の直線部まわり面に沿って接着及び硬化される夜光体が形成されることを特徴とする夜行性魚種の釣果向上のための釣り針。
【請求項２】
前記夜光体は、粘性を持つ液状のエポキシ接着剤に夜光顔料が一定割合に混入され、
前記夜光体は、前記針腰に一定量が球状に接着された後硬化されることを特徴とする請求項１に記載の夜行性魚種の釣果向上のための釣り針。
【請求項３】
前記夜光体は、微粒子形態として少なくともふたつ以上が一定間隔を置いて配置されることを特徴とする請求項２に記載の夜行性魚種の釣果向上のための釣り針。
【請求項４】
前記夜光体は、楕円球形態として前記針腰の直線部長さ方向に長く形成されることを特徴とする請求項２に記載の夜行性魚種の釣果向上のための釣り針。
【請求項５】
前記夜光体の表面には蛍光増白剤が点単位で散在するように塗布され紫外線または可視光によって励起されて蛍光を発することを特徴とする請求項３又は請求項４に記載の夜行性魚種の釣果向上のための釣り針。
【発明の詳細な説明】
【技術分野】
【０００１】
本発明は夜行性魚種の釣果向上のための釣り針に関することとして、もっと詳細するように太刀魚やメバルなどの夜行性魚種に対する誘引及び当りを效果的に誘導して釣果を進めるようにする釣り針に関するのだ。
【背景技術】
【０００２】
釣る針に餌を通して魚を釣ることを言い、釣ろうとする魚種によって釣り針や釣り竿のような釣り具及び釣り方法がそれぞれ変わるようになる。
【０００３】
特に釣りは、対象魚種によって昼間釣りと夜間釣りに仕分けされ、夜間釣りは夜行性魚種を対象にする釣りである。
【０００４】
夜行性魚種は主に暗い夜間にえさ活動をし、発光体に誘引がよくできるから束ね針の釣糸にケミライトや発光体を挟んで釣りをする場合が多い。
【０００５】
図１は第１従来技術による夜間釣り用束ね針を図示する立面図だ。
【０００６】
第１従来技術による夜間釣り用束ね針は、図１に図示されたように、針１を結んだ釣糸３に夜光ホース２を挟んだ形態から構成される。
【０００７】
すなわち、第１従来技術によると、夜間釣りをすることにおいて夜光ホースを釣糸に挟んで餌が挟まれた釣り針の周りに魚が誘引されるようにするものである。
【０００８】
しかし、前記のような場合夜光ホースが釣糸に挟まれるによって夜光ホースが挟まれた釣糸の一部分が自然に流動しなくて当りを受ける確率が低下されて釣果に悪い影響を与えるようになる問題点があった。
【０００９】
これに、第２従来技術として大韓民国登録特許第１０−１４３３００７号の‘蓄光チューブが結合された釣り針’が提案された事がある。
【００１０】
図２は第２従来技術による蓄光チューブが結合された釣り針を図示する立面図であり、図３は図２の結合構造を図示する概念図である。
【００１１】
図２及び図３を参照すれば、釣り針１０は釣糸３０と円型の結合片４０により固定され、前記円型の結合片４０は加圧手段によって加圧され釣り針１０と釣糸３０の間を結合させ、前記釣り針１０の一側には蓄光フィルムに巻取された蓄光チューブ２０が結合される。この時、蓄光チューブ２０は前記結合片４０の上部に位置し結合される第１蓄光チューブ２２と、前記結合片４０の外縁及びその下部にかけて位置しながら結合される第２蓄光チューブ２４とからなり、前記第２蓄光チューブ２４が前記結合片４０の外縁に固定されるように結合片４０上に接着剤が塗布される。
【００１２】
すなわち、第２従来技術によると、蓄光チューブが既存圧出方式の蓄光チューブに比べて発光の明るさ及び発光の長続き時間が増大されることができる。
【００１３】
しかし、蓄光チューブはゴム材質という素材の特性上蓄光顔料の添加量が制限されゴム材質の光透過量が制限されて発光の明るさ及び発光の長続き時間を大幅に増大させることができない問題点がある。
【００１４】
また、蓄光チューブはゴム材質の特性上堅く固定されなくて耐久性低下をもたらして、太刀魚などのように鋭い歯を持つ夜行性魚種のひんぱんな当りによって損傷され夜光機能を易しく喪失するようになる問題点がある。
【００１５】
一方、結合片に釣り針と釣り針を加圧固定させて蓄光チューブを２個に分けて結合させなければならない複雑な工程によって材料費及び工程費用が上昇するようになるので、生産性が低下されることはもちろん、製品の価格競争力が失うようになる問題点がある。
【先行技術文献】
【特許文献】
【００１６】
【特許文献１】大韓民国登録特許第１０−１４３３００７号明細書
【発明の概要】
【発明が解決しようとする課題】
【００１７】
前述の背景技術から導出された問題点を解決するための本発明の目的は、釣糸に繋がれる釣り針の流動が自然に成り立つようにすることにより魚が警戒心を解いて效果的な当りを誘導するようにする夜行性魚種の釣果向上のための釣り針を提供することにある。
【００１８】
また、本発明の目的は、ゴム材質のチューブによる光透過量の制限を受けないのに発光の明るさ及び発光の長続き時間を大幅に増大させて夜行性魚種に対する誘引效果を極大化することができるようにする夜行性魚種の釣果向上のための釣り針を提供することにある。
【００１９】
また、本発明の目的は、発光部位が堅く固定されるようにして鋭い歯によって損傷されないように耐久性を進めることでひんぱんな当りにも夜光機能の持続するようにする夜行性魚種の釣果向上のための釣り針を提供することにある。
【００２０】
また、本発明の目的は、釣り針に夜光機能を付与するにおいて材料費及び工程費用を最小化して生産性向上を通じる製品の価格競争力を高めるようにする夜行性魚種の釣果向上のための釣り針を提供することにある。
【００２１】
一方、本発明の目的は以上から言及した目的に制限されないし、言及されなかったまた他の目的は以下の記載から明確に理解されることができるでしょう。
【課題を解決するための手段】
【００２２】
前記の目的は、本発明の実施例によって、釣糸が結ばれる針の耳と、前記針の耳から真っ直ぐに延長された直線部を持つ針腰と、前記針腰から針末のかかりまで曲がる曲線部を持つ針かかとからなる構成の釣り針の構造であって、前記針腰の直線部のまわり面に沿って接着及び硬化される夜光体が形成されることを特徴とする夜行性魚種の釣果向上のための釣り針によって達成されることができる。
【００２３】
ここで、前記夜光体は粘性を持つ液状のエポキシ接着剤に夜光顔料が一定割合に混入されて、前記夜光体は前記針腰に一定量が球状に接着された後硬化されることを特徴とする。
【００２４】
この時、前記夜光体は微粒子形態として少なくともふたつ以上が一定間隔を置いて配置されることを特徴とする。
【００２５】
また、前記夜光体は楕円球形態として前記針腰の直線部長さ方向に長く形成されることを特徴とする。
【００２６】
進んで、前記夜光体の表面には蛍光増白剤が点単位で散在するように塗布されて紫外線または可視光によって励起されて蛍光を発することを特徴とする。
【発明の効果】
【００２７】
前記の実施例による本発明によれば次のような效果を期待することができる。
【００２８】
第一、夜光体が釣糸に挟まれないで釣り針に形成されて釣糸に繋がれた釣り針の流動が自然に演出されるので魚の警戒心を解いて效果的な当りを誘導することができる效果がある。
【００２９】
第二、夜光体に混合した夜光顔料がゴム材質のチューブなどによって光の透過量を制限受けないので発光の明るさ及び発光の長続き時間を大幅に増大させて夜行性魚種に対する誘引效果を極大化することができる效果がある。
【００３０】
第三、粘性を持つ液状のエポキシ接着剤に夜光顔料が混入された状態で釣り針に接着された後硬化されるので発光体が釣り針に堅く固定されて耐久性が向上するのはもちろん鋭い歯にも損傷されなくてひんぱんな当りにも夜光機能の持続する效果がある。
【００３１】
第四、エポキシ接着剤に夜光顔料を混入した液状の夜光体を釣り針に接着させた後自然硬化される簡単な工程によって材料費及び工程費用が最小化されるので生産性が大きく向上してこれを通じる製品の価格競争力を高めることができる效果がある。
【図面の簡単な説明】
【００３２】
【図１】第１従来技術による夜間釣り用束ね針を図示する立面図である。
【図２】第２従来技術による蓄光チューブが結合された釣り針を図示する立面図である。
【図３】図２の結合構造を図示する概念図である。
【図４】本発明の実施例による夜行性魚種の釣果向上のための釣り針を図示する斜視図である。
【図５】本発明の他の実施例による夜行性魚種の釣果向上のための釣り針を図示する斜視図である。
【図６】本発明が使われる一例を現わした例示図だ。
【発明を実施するための形態】
【００３３】
本発明の利点及び特徴、そしてそれらを果たす方法は添付される図面と共に詳細に後述されている実施例を参照すれば明確になるでしょう。しかし本発明は以下開示される実施例たちに限定されるのではなくお互いに違う多様な形態に具現されるはずであり、ただ本実施例たちは本発明の開示が完全にさせて、本発明が属する技術分野で通常の知識を持った者に発明の範疇を完全に知らせてくれるために提供されるものである。そして本明細書で使われた用語は実施例たちを説明するためのことであり、本発明を制限しようとするのではない。本明細書で単数型は文具で特別に言及しない限り復讐型も含む。
【００３４】
以下、添付された図面たちを参照しながら本発明の望ましい実施例に対して詳しく説明する事にする。一方、該当の技術分野の通常的な知識を仮振子から容易く分かる構成とそれに対する作用及び效果に対する図示及び詳細な説明は手短にするとか略して本発明と係わる部分たちを中心に詳しく説明するようにする。
【００３５】
発明の詳細な説明に先立って、本発明で言及する釣り針は通常の構造と名称で成り立つことで、図４に図示されたように、釣糸が結ばれる針の耳と、前記針の耳から真っ直ぐに延長された直線部を持つ針腰と、前記針腰から針末のかかりまで曲がる曲線部を持つ針かかとからなる構成である。
【００３６】
このような釣り針の構造と名称は当業者には自明なことなので各構成に対する具体的な説明は略するようにする。
【００３７】
前記のような釣り針の構成を前提にする本発明は、図４及び図５に図示されたように、前記針腰の直線部まわり面に沿って接着及び硬化される夜光体１００ａ、１００ｂが形成される。この時、前記針腰の直線部に夜光体１００ａ、１００ｂが形成される理由は夜行性魚種の誘引機能と餌を同時に活用するためである。すなわち、夜光体１００ａ、１００ｂが針腰の直線部にだけ形成されるによって針かかとの曲線部に餌を挟むことができる空間が用意されるようにする。よって、夜光体１００ａ、１００ｂによって誘引された魚は夜光体１００ａ、１００ｂと接した針かかとの位置に餌があることを確認して当りがあることで手軽い捕獲が可能になるのである。
【００３８】
ここで、前記夜光体１００ａ、１００ｂはゴム材質のチューブやプラスチック材質の玉などのように既に製作されて釣り針に挟まれるのではなくて、接着剤に夜光顔料が一定割合に混入された液状の状態で釣り針に接着された後硬化されるものである。
【００３９】
具体的に、前記夜光体１００ａ、１００ｂは粘性を持つ液状のエポキシ接着剤に夜光顔料が一定割合に混入された構成として、前記針腰に一定量が球状に接着された後硬化されることで指定された位置に堅く固定されることになる。
【００４０】
前記エポキシ接着剤はエポキシ樹脂、硬化剤、充填剤、希薄制などとその他添加剤を基本ベースにしている熱硬化性樹脂系接着剤として常温で硬化する。このようなエポキシ接着剤は硬化後の機械的な特性のすぐれた上に接着力が強くて、耐熱性、電気縁切り特性がすぐれる。
【００４１】
付け加えて、前記夜光顔料は闇の中で輝かしいことで、通常の蓄光顔料（ｐｈｏｓｐｈｏｒｅｓｃｅｎｔ  ｐｉｇｍｅｎｔｓ）や前記蓄光顔料が含まれた組成物であることができる。
【００４２】
前記蓄光顔料は光を内部に吸収して保存して放出及び発光する性質を持った顔料として、太陽を含めて水銀燈、蛍光燈、白熱燈のような自然光及び人造光のエネルギーを吸収及び蓄積して暗い所から光を放出する。
【００４３】
図４に図示された実施例による夜光体１００ａは微粒粒子形態として少なくともふたつ以上が一定間隔を置いて配置されることができる。
【００４４】
図５に図示された実施例による夜光体１００ｂは楕円球形態として前記針腰の直線部長さ方向に長く形成されることができる。
【００４５】
すなわち、図４及び図５に例示されたところのように、釣り針の針腰に夜光体１００ａ、１００ｂを多様な形態で配置することができるので消費者の趣向やトレンドによる多様な製品の製作が可能で、海中環境や対象魚種によって夜光体の配置及び形象が選択的に活用されることができる。
【００４６】
一方、前記夜光体１００ａ、１００ｂの表面には蛍光増白剤が点単位で散在するように塗布されて紫外線または可視光によって励起されて蛍光を発することを特徴とする。
【００４７】
すなわち、夜光の機能とともに蛍光の機能が付加することで発光效果が極大化されることができるし、蓄光による発光長続き時間によって明るいのが弱くなっても蛍光を発するようになるので誘引機能が喪失されないこともある。
【００４８】
具体的に、蛍光増白剤は紫外線または可視光によってここ（励起、ｅｘｃｉＴａＢｏｎ）になって蛍光を発するので蓄光のために光をあたる段階が省略可能になる。すなわち、思い出した蛍光増白剤は近紫外線台紫外線に近い領域の光（３３０〜３８０ｎｍ）を吸収して可視光線の短波長領域（４００〜４５０ｎｍ）の青で紫の光を発する。
【００４９】
例えば、夜間の場合でも夜行性魚種を対象にする夜間釣りには高い照度の集魚燈が常時ともっているのに、このような集魚燈から海の一定水深層まで紫外線または可視光が照射されるから蛍光増白剤がこれに応じて蛍光を発するようになるのだ。
【００５０】
したがって、夜間釣り途中蓄光のために用意に光をあたる段階が省略されるので夜間釣りを行うにおいて煩わしさを減らして釣果が向上することができるでしょう。
【００５１】
進んで、釣り針の表面にも蛍光増白剤が塗布されることができる。この場合散在して塗布されるのではない釣り針の表面全体にすきまもなく完全塗布されることができる。
【００５２】
上述した本発明の釣り針は図６に例示されたように使われることができる。
【００５３】
図６を参照すれば、針末から針かかとまでに餌Ｂが挟まれて針腰に形成された夜光体１００ａは露出するので夜行性魚種の誘引效果とともに誘引された魚種が餌に即刻で応じるようにする。
【００５４】
今まで説明した本発明の実施例による夜行性魚種の釣果向上のための釣り針は次のような效果を提供する。
【００５５】
第一、夜光体が釣糸に挟まれないで釣り針に形成されて釣糸に繋がれた釣り針の流動が自然に演出されるので魚の警戒心を解いて效果的な当りを誘導することができる。
【００５６】
第二、夜光体に混合した夜光顔料がゴム材質のチューブなどによって光の透過量を制限受けないので発光の明るさ及び発光の長続き時間を大幅に増大させて夜行性魚種に対する誘引效果を極大化することができる。
【００５７】
第三、粘性を持つ液状のエポキシ接着剤に夜光顔料が混入された状態で釣り針に接着された後硬化されるので発光体が釣り針に堅く固定されて耐久性が向上するのはもちろん鋭い歯にも損傷されなくてひんぱんな当りにも夜光機能が持続することができる。
【００５８】
第四、エポキシ接着剤に夜光顔料を混入した液状の夜光体を釣り針に接着させた後自然硬化される簡単な工程によって材料費及び工程費用が最小化されるので生産性が大きく向上してこれを通じる製品の価格競争力を高めることができる。
【００５９】
前述の内容は後述する発明の請求範囲をもっとよく理解するように本発明の特徴と技術的長所をちょっと幅広く上述した。本発明が属する技術分野の通常の知識を持った者は本発明がその技術的思想や必須な特徴を変更しなくても他の具体的な形態で実施されることができるということを理解することができるでしょう。よって、以上で記述した実施例たちはすべての面から例示的なことで限定的ではないことで理解しなければならない。本発明の範囲は前記詳細な説明よりは後述する特許請求範囲によって現わされて、特許請求範囲及びその均等概念から導出されるすべての変更または変形された形態が本発明の範囲に含まれることに解釈されなければならない。
【符号の説明】
【００６０】
１００ａ、１００ｂ    夜光体
Ｒ    釣糸
Ｔ    結び目
Ｂ    餌
【図１】
2018093771.tif 000003
【図２】
2018093771.tif 000004
【図３】
2018093771.tif 000005
【図４】
2018093771.tif 000006
【図５】
2018093771.tif 000007
【図６】
2018093771.tif 000008